(57)【要約】【課題】予め定められた警告条件を用い、無制限な名称付けを避けつつ、使用者の意向を考慮し、名称入力での使用者の利便性を高める。【解決手段】表示入力装置は、表示部と、表示部に表示されたキーの押下や、登録しようとするデータに名称を付す入力を受け付けるための入力部と、入力名称とデータを対応付けて記憶する記憶部と、データを記憶部に記憶する前に、入力名称が、予め定められた警告条件を満たすか否かを判断する判断部と、を有し、判断部が、入力名称は予め定められた警告条件を満たすと判断した場合、表示部は、入力名称が予め定められた警告条件を満たすことを知らせるための警告画面を表示する。【選択図】図１８
2011164154.tif 000002
【特許請求の範囲】
【請求項１】
１又は複数のデータを登録するための画面を表示する表示部と、
前記表示部に表示されたキーの押下や、登録しようとするデータに名称を付す入力を受け付けるための入力部と、
データに付すとして入力された入力名称とデータを対応付けて記憶する記憶部と、
データを前記記憶部に記憶する前に、前記入力名称が、予め定められた警告条件を満たすか否かを判断する判断部と、を有し、
前記判断部は、前記入力名称が予め定められた警告条件を満たすと判断した場合、
前記表示部は、前記入力名称が予め定められた警告条件を満たすことを知らせるための警告画面を表示することを特徴とする表示入力装置。
【請求項２】
前記警告条件には、
既に前記記憶部に記憶されているデータの名称と前記入力名称が同一である同一条件、
予め定められた規則に基づき、前記入力名称と既に前記記憶部に記憶されているデータの名称とが類似である類似条件、
既に前記記憶部に記憶されているデータの名称と前記入力名称の一部が同一であるとともに差異部分が数字及び／又は文字において連続した関係である連続条件、
前記入力名称が文字を含まず、記号及び／又は数字のみからなる不十分条件、
前記入力名称が文字を含まず空白のみからなる空白条件のうちの何れか１つ、全部、又は、複数の条件を含むことを特徴とする請求項１に記載の表示入力装置。
【請求項３】
前記表示部に前記警告画面が表示された場合、
前記入力部は、前記入力名称を修正する入力と、前記入力名称をそのまま前記記憶部に記憶させる旨の入力を受け付け、
前記記憶部は、前記警告条件を満たす名称をそのまま前記記憶部に記憶させた旨を示す警告名称許可データを記憶し、
前記表示部は、前記入力名称が前記警告条件を満たしても、前記警告名称許可データが記憶されていれば、前記警告画面を表示しないことを特徴とする請求項１又は２に記載の表示入力装置。
【請求項４】
前記警告条件に複数の条件が含まれる場合、
前記記憶部は、複数の前記条件のうち、全て又は一部の条件について、前記警告名称許可データを個別に記憶し、
前記表示部は、前記入力名称が前記警告条件を満たし、かつ、その前記警告条件が記憶された前記警告名称許可データに対応する条件であった場合、前記警告画面を表示しないことを特徴とする請求項２又は３に記載の表示入力装置。
【請求項５】
前記入力名称が前記警告条件を満たしても前記警告画面を表示しない場合、
前記表示部は、記憶されている前記警告名称許可データに対応する条件ごとに、前記警告条件を満たす名称を付してデータを前記記憶部に記憶させることを認めない入力を行うための不許可キーを表示し、
前記記憶部は、押下された前記不許可キーに対応する条件の前記警告名称許可データを消去することを特徴とする請求項４に記載の表示入力装置。
【請求項６】
前記入力名称が前記警告条件を満たしても前記警告画面を表示しない場合、
前記表示部は、すでに前記記憶部に記憶されたデータの名称の一覧が記された名称一覧画面を表示させるための名称一覧画面表示キーを表示し、前記名称一覧画面表示キーが押下されると前記名称一覧画面を表示し、
前記入力部は、表示された前記名称一覧画面内の名称から１つの名称を選択する入力をデータに付す名称を付す入力として受け付け、
前記記憶部は、前記名称一覧画面で選択された名称を、データに付す名称としてデータに対応付けて記憶することを特徴とする請求項３乃至５の何れか１項に記載の表示入力装置。
【請求項７】
前記判断部は、前記入力部に対する使用者を識別するための識別情報の入力、又は、前記識別情報を記憶する記憶媒体を読み取る識別情報取得部によって取得された前記識別情報に基づき、使用者を特定し、
前記記憶部は、前記警告名称許可データを使用者ごとに記憶し、
前記表示部は、前記警告名称許可データが前記記憶部に記憶されている使用者に対しては、前記警告画面を表示せず、前記警告名称許可データが前記記憶部に記憶されていない使用者に対しては、前記警告画面を表示することを特徴とする請求項３乃至７の何れか１項に記載の表示入力装置。
【請求項８】
前記警告条件に複数の条件が含まれる場合、
前記記憶部は、使用者ごとに、前記警告名称許可データを、複数の前記条件のうち、全て又は一部の条件について、前記警告名称許可データを個別に記憶し、
前記表示部は、前記入力名称が前記警告条件を満たし、かつ、その前記警告条件が記憶された前記警告名称許可データに対応する条件であった場合、前記警告画面を表示しないことを特徴とする請求項７に記載の表示入力装置。
【請求項９】
請求項１乃至８の何れか１項に記載の表示入力装置を備えることを特徴とする画像形成装置。
【発明の詳細な説明】
【技術分野】
【０００１】
本発明は、表示部と、タッチパネル等の入力部を有する表示入力装置、及び、これを備えた複写機、複合機、プリンタ、ＦＡＸ装置等の画像形成装置に関する。
【背景技術】
【０００２】
半導体メモリやＨＤＤ（Hard Disk Drive）等の記憶部と、例えば液晶表示部やタッチパネルを備えた画面付きの表示入力装置が電気、電子機器に設けられることがある（例えば、複写機、複合機等の画像形成装置）。例えば、画像形成装置は、多数の機能を搭載し（例えば、拡大縮小、集約印刷、両面印刷等）、様々な電気、電子機器は、ますます多機能化しつつある。液晶表示部やタッチパネルを備えた表示入力装置は、視覚的に見やすく利用機能を簡易に選び、設定を行える利点があり、採用される機会が多い。
【０００３】
記憶部にデータを記憶する際、表示入力装置は、データに付す名称の入力を受け付けることがある。例えば、画像形成装置は、表示入力装置への入力を行ううえで簡易に設定入力を行えるようにするためのプログラムや画像データを、データの一種として記憶する。表示入力装置は、このプログラムや画像データに付す名称の入力を受け付ける。このような表示入力装置を備えたファクシミリ装置の一例が特許文献１に記載されている。
【０００４】
具体的に、特許文献１には、ワンタッチもしくは短縮ダイヤルキー毎に発信元情報としての名称データをテーブルに登録するための名称登録モードを有し、任意に選択されたワンタッチもしくは短縮ダイヤルキーに対して登録されている名称データを該テーブルより検索する手段、及び、該手段により検索された名称データを、登録対象のワンタッチもしくは短縮ダイヤルキーに対する名称データとして該テーブルに登録する手段と設けたファクシミリ装置が記載されている。これにより、同一または類似の名称データの登録作業を簡易迅速にしようとする（特許文献１：請求項１、段落［０００８］等参照）。
【先行技術文献】
【特許文献】
【０００５】
【特許文献１】特開平６−１６４７９５号公報
【発明の概要】
【発明が解決しようとする課題】
【０００６】
近年、記憶部の記憶容量は増加し、その恩恵を受け、従来よりも、記憶部に記憶可能なプログラムや画像データなどのデータの数も増加している。このため、例えば、同一、類似の名称が付されたデータや、記号のみなど、何ら内容を示さない名称など、データの検索を効率よく行ううえで、名称に問題のあるデータが多くなることがある。名称に問題のあるデータが増えると、データを呼び出す際に、使用者が用いようとするデータを探し出すことが難しくなる。又、名称に問題のあるデータが多いほど、データの内容を把握し辛くなる。又、データに問題のある名称を付すことを認めるか、認めないかは使用者の意向による。このように、無制限に、警告なしに、問題のある名称付けを可能とすることは、データの検索効率の点で問題がある。一方、問題のある名称の登録を一切認めなければ、使用者の意向に反し、むしろ使用者にとっての利便性が悪くなる場合がある。
【０００７】
ここで、特許文献１記載の発明では、ワンタッチキーや短縮ダイヤルキーとは何かの明確な定義はないが、通常のＦＡＸ番号よりも短い入力で送信先を設定するためのキーと解される。そして、特許文献１の発明でのワンタッチキー等が何個程度か不明であるが、ワンタッチキー等が多くなれば、使用者が目的のキー（プログラム）を探し出すことが難しく、例えば、同一、類似の名称が付されたキーの内容の確認に時間がかかる。従って、特許文献１記載の発明では、上記の問題点に対応できない。
【０００８】
本発明は、上記従来技術の問題点に鑑みてなされたものであり、予め定められた警告条件を用いて、無制限な名称付けを避けつつ、使用者の意向を考慮し、名称入力での使用者の利便性を高めることを課題とする。
【課題を解決するための手段】
【０００９】
上記課題解決のため請求項１に係る表示入力装置は、１又は複数のデータを登録するための画面を表示する表示部と、前記表示部に表示されたキーの押下や、登録しようとするデータに名称を付す入力を受け付けるための入力部と、データに付すとして入力された入力名称とデータを対応付けて記憶する記憶部と、データを前記記憶部に記憶する前に、前記入力名称が、予め定められた警告条件を満たすか否かを判断する判断部と、を有し、前記判断部は、前記入力名称が予め定められた警告条件を満たすと判断した場合、前記表示部は、前記入力名称が予め定められた警告条件を満たすことを知らせるための警告画面を表示することとした。
【００１０】
この構成によれば、入力名称が予め定められた警告条件を満たすことを知らせる警告画面が表示される。これにより、使用者は、記憶部に記憶させようとするデータに付した名称に問題のある可能性を認識することができる。従って、探し難くなる等、データに問題のある名称を付すことが避けられる。
【００１１】
又、請求項２に係る発明は、請求項１の発明において、前記警告条件には、既に前記記憶部に記憶されているデータの名称と前記入力名称が同一である同一条件、予め定められた規則に基づき、前記入力名称と既に前記記憶部に記憶されているデータの名称とが類似である類似条件、既に前記記憶部に記憶されているデータの名称と前記入力名称の一部が同一であるとともに差異部分が数字及び／又は文字において連続した関係である連続条件、前記入力名称が文字を含まず、記号及び／又は数字のみからなる不十分条件、前記入力名称が文字を含まず空白のみからなる空白条件のうちの何れか１つ、全部、又は、複数の条件を含むこととした。
【００１２】
この構成によれば、警告条件は、同一条件、類似条件、連続条件、不十分条件、空白条件のそれぞれの条件の何れか１つ、全部、又は、複数を含む。これにより、使用者は、警告条件を満たした名称を付してデータを記憶させる（登録する）と、探し出し難くなり、データの内容を把握し辛くなると把握できる。従って、問題となり得る名称付けが避けられる。
【００１３】
又、請求項３に係る発明は、請求項１又は２の発明において、前記表示部に前記警告画面が表示された場合、前記入力部は、前記入力名称を修正する入力と、前記入力名称をそのまま前記記憶部に記憶させる旨の入力を受け付け、前記記憶部は、前記警告条件を満たす名称をそのまま前記記憶部に記憶させた旨を示す警告名称許可データを記憶し、前記表示部は、前記入力名称が前記警告条件を満たしても、前記警告名称許可データが記憶されていれば、前記警告画面を表示しないこととした。
【００１４】
この構成によれば、入力名称を修正する入力と、入力名称をそのまま記憶部に記憶させる旨の入力が選択的に受け付けられる。これにより、使用者の意向を反映させた名称付けを行うことができる。又、警告名称許可データが記憶されていれば、警告画面は表示されない。警告条件を満たすような問題のある名称でもデータに付すことを認める使用者にとっては、警告画面は不要で煩わしいと感じてしまう場合がある。そこで、過去に警告条件を満たす名称をそのまま記憶部に記憶させたことは警告名称許可データという履歴として残す。そして、警告条件を満たす名称をデータに付してもよい使用者に対しては警告画面を表示しない。従って、煩わしい感覚を使用者に与えることを防ぐことができる。
【００１５】
又、請求項４に係る発明は、請求項２又は３の発明において、前記警告条件に複数の条件が含まれる場合、前記記憶部は、複数の前記条件のうち、全て又は一部の条件について、前記警告名称許可データを個別に記憶し、前記表示部は、前記入力名称が前記警告条件を満たし、かつ、その前記警告条件が記憶された前記警告名称許可データに対応する条件であった場合、前記警告画面を表示しないこととした。
【００１６】
例えば、同一の名称での登録（記憶）は避けたいが、類似の名称での登録（記憶）はかまわない等、条件によって登録を認めたい場合と認めたくない場合がある。そこで、この構成によれば、警告名称許可データは、各条件について、個別に記憶され、入力名称に含まれる警告条件が記憶された警告名称許可データに対応する条件であった場合、前記警告画面は表示されない。これにより、使用者にとって登録したくない条件の場合のみ、警告画面を表示するようにすることができる。従って、使用者の意向にあわせて、警告画面の表示、非表示を行うことができ、利便性が高い。
【００１７】
又、請求項５に係る発明は、請求項４の発明において、前記入力名称が前記警告条件を満たしても前記警告画面を表示しない場合、前記表示部は、記憶されている前記警告名称許可データに対応する条件ごとに、前記警告条件を満たす名称を付してデータを前記記憶部に記憶させることを認めない入力を行うための不許可キーを表示し、前記記憶部は押下された前記不許可キーに対応する条件の前記警告名称許可データを消去することとした。
【００１８】
この構成によれば、不許可キーの押下を入力部が受け付けた場合、警告名称許可データは消去される。これにより、一旦、警告名称許可データが記憶された後で、使用者は、警告画面の表示を再開できる。又、不許可キーに対応する警告名称許可データは消去されるので、警告条件に含まれる複数の条件について、登録を認めていた場合でも、使用者は、一部の条件についてのみ、再び警告画面を表示されるようにできる。従って、使用者は、細かく警告画面の表示、非表示を設定でき、設定の自由度が高い。
【００１９】
又、請求項６に係る発明は、請求項３乃至５の発明において、前記入力名称が前記警告条件を満たしても前記警告画面を表示しない場合、前記表示部は、すでに前記記憶部に記憶されたデータの名称の一覧が記された名称一覧画面を表示させるための名称一覧画面表示キーを表示し、前記名称一覧画面表示キーが押下されると前記名称一覧画面を表示し、前記入力部は、表示された前記名称一覧画面内の名称から１つの名称を選択する入力をデータに付す名称を付す入力として受け付け、前記記憶部は、前記名称一覧画面で選択された名称を、データに付す名称としてデータに対応付けて記憶することとした。
【００２０】
この構成によれば、名称一覧画面が表示される。これにより、どのような名称があるか等、名称付けの状態や傾向等を把握できる。従って、警告条件を満たすような名称付けを行う際、このままの名称でデータを記憶させてよいかの判断が容易になる。又、名称一覧画面内の名称から選択された１つの名称が、データに付す名称としてデータに対応付けて記憶される。これにより、同一、類似等の警告条件を満たすような名称をデータに付すとき、名称付けのための入力は名称の選択だけで完了する。従って、警告条件を満たすような名称を付す際、名称付けの補助機能が働き、名称を簡単、迅速に定めることができる。
【００２１】
又、請求項７に係る発明は、請求項３乃至７の発明において、前記判断部は、前記入力部に対する使用者を識別するための識別情報の入力、又は、前記識別情報を記憶する記憶媒体を読み取る識別情報取得部によって取得された前記識別情報に基づき、使用者を特定し、前記記憶部は、前記警告名称許可データを使用者ごとに記憶し、前記表示部は、前記警告名称許可データが前記記憶部に記憶されている使用者に対しては、前記警告画面を表示せず、前記警告名称許可データが前記記憶部に記憶されていない使用者に対しては、前記警告画面を表示することとした。
【００２２】
表示入力装置や表示入力装置を備えた装置は特定のメンバーで共用される場合がある。そこで、この構成によれば、使用者は特定され、警告名称許可データは使用者ごとに記憶される。使用者ごとに警告条件を満たす名称について警告画面の表示、非表示が判断され使用者ごとに警告画面の表示、非表示が定まる。従って、各使用者の意向にあわせた名称付けを行うことができる。
【００２３】
又、請求項８に係る発明は、請求項７の発明において、前記警告条件に複数の条件が含まれる場合、前記記憶部は、使用者ごとに前記警告名称許可データを複数の前記条件のうち、全て又は一部の条件について、前記警告名称許可データを個別に記憶し、前記表示部は、前記入力名称が前記警告条件を満たし、かつ、その前記警告条件が記憶された前記警告名称許可データに対応する条件であった場合、前記警告画面を表示しないこととした。
【００２４】
この構成によれば、使用者ごとに、警告名称許可データは、複数の前記条件のうち、全て又は一部の条件について、個別に記憶される。これにより、表示入力装置が共用されても、各使用者で場合を分けて、各使用者の意向にあわせて、警告画面の表示、非表示を行うことができる。従って、利便性が高い。
【００２５】
又、請求項９に係る画像形成装置は、請求項１乃至８の何れか１項に記載の表示入力装置を備えることとした。
【００２６】
この構成によれば、データを探し出しにくくなるような問題のある名称でのデータの記憶（登録）を容易に避けることができる画像形成装置を提供することができる。
【発明の効果】
【００２７】
上述したように、本発明の表示入力装置を用いることで、予め定められた警告条件を用い警告画面を表示するので、無制限な名称付けを避けることができる。又、使用者の意向を考慮して警告画面が表示されるので、使用者にとっての利便性が高い表示入力装置、画像形成装置を提供することができる。
【図面の簡単な説明】
【００２８】
【図１】実施形態に係る複合機の一例を示す正面模型的断面図である。
【図２】実施形態に係る操作パネルの一例を示す平面図である。
【図３】実施形態に係る複合機のハードウェア構成の一例を示すブロック図である。
【図４】（ａ）は、実施形態に係る操作パネルでのログイン画面の一例を示す説明図であり、（ｂ）は、ソフトキーボードの一例を示す説明図である。
【図５】実施形態に係るワークフローを選ぶ際の呼出画面の一例を示す説明図である。
【図６】ワークフローをウィザード形式で表示した際の設定の流れの一例を示す説明図である。
【図７】ワークフローのメニュー画面の一例を示す説明図である。
【図８】（ａ）、（ｂ）は、設定項目の選択画面の一例を示す説明図である。
【図９】ワークフローを呼び出す際の表示形式を定めるため表示形式決定画面の一例を示す説明図である。
【図１０】（ａ）は実施形態に係るワークフローの名称入力画面の一例を示す説明図であり、（ｂ）は登録完了画面の一例を示す説明図である。
【図１１】実施形態に係る警告条件の一例を示す概念図である。
【図１２】警告表示の一例を示す説明図であり、（ａ）は同一条件の場合、（ｂ）は類似条件の場合、（ｃ）は連続条件の場合を示す。
【図１３】警告表示の一例を示す説明図であり、（ａ）は不十分条件の場合、（ｂ）は空白条件の場合を示す。
【図１４】名称入力画面の一例を示す説明図である。
【図１５】（ａ）は名称入力画面の一例を示す説明図であり、（ｂ）は、名称一覧画面の一例を示す説明図である。
【図１６】（ａ）は名称入力画面の一例を示す説明図であり、（ｂ）は、名称一覧画面の一例を示す説明図である。
【図１７】（ａ）は名称入力画面の一例を示す説明図であり、（ｂ）は、名称一覧画面の一例を示す説明図である。
【図１８】実施形態に係る操作パネルでの名称入力時の表示制御の一例を示すフローチャートである。
【発明を実施するための形態】
【００２９】
以下、本発明の実施形態を図１〜図１８を用いて説明する。ここで、本発明は、各種表示入力装置に適用可能であるが、操作パネル１（表示入力装置に相当）を例に挙げ、複合機１００（画像形成装置に相当）に取り付けられた場合を例に挙げて説明する。但し、本実施の形態に記載されている構成、配置等の各要素は、発明の範囲を限定するものではなく単なる説明例にすぎない。
【００３０】
（画像形成装置の概略）
まず、図１を用いて、本発明の実施形態に係る複合機１００の概略を説明する。図１は本発明の実施形態に係る複合機１００の一例を示す正面模型的断面図である。
【００３１】
図１に示すように、複合機１００の正面前方には、複合機１００に関して各種設定を行うための操作パネル１が設けられる（詳細は後述）。又、本実施形態の複合機１００は、上部に、画像読取部３と原稿搬送装置４が設けられる。複合機１００は、本体内部に、給紙部５ａ、搬送路５ｂ、画像形成部６、中間転写部７ａ、定着部７ｂ、排出搬送部８ａ、両面搬送路８ｂ等を備える。
【００３２】
原稿搬送装置４は、読み取る原稿を載置する原稿トレイ４１を有する。そして、原稿搬送装置４は、原稿トレイ４１から原稿を１枚ずつ、自動的に連続して読取位置（送り読取用コンタクトガラス３１）に搬送する。又、原稿搬送装置４は、図１の紙面奥側を支点として画像読取部３に上下方向に開閉自在に取り付けられ、画像読取部３のコンタクトガラス（送り読取用コンタクトガラス３１及び載置読取用コンタクトガラス３２）を上方から押さえるカバーとして機能する。
【００３３】
次に、画像読取部３は、図１に示すように、上面に送り読取用コンタクトガラス３１と、書籍等の原稿を１枚ずつ読み取る際に原稿を載置する載置読取用コンタクトガラス３２が配される。画像読取部３内には、ランプ、ミラー、レンズ、イメージセンサ等（不図示）が配される。イメージセンサは、送り読取用コンタクトガラス３１を通過する原稿、あるいは、載置読取用コンタクトガラス３２に載置された原稿の反射光を元に、原稿を読み取る。そして、イメージセンサは、反射光を画像濃度に応じたアナログの電気信号に変換し、その後、量子化を行い、原稿の画像データが得られる。尚、本実施形態の画像読取部３は、カラーでも読み取り可能であり、白黒でも読み取り可能である。
【００３４】
複合機１００本体内の複数の給紙部５ａは、それぞれ、各サイズ（例えば、Ａ４、Ｂ４等のＡ型、Ｂ型用紙等）、各種用紙（例えば、コピー用紙、再生紙、厚紙、ＯＨＰシート等）を複数枚収容する。各給紙部５ａは、それぞれ回転駆動する給紙ローラ５１を備え、印刷時、１枚ずつ搬送路５ｂに用紙を送り込む。
【００３５】
搬送路５ｂは、給紙部５ａから画像形成部６まで、装置内で用紙を搬送する通路である。そして、搬送路５ｂには、用紙の案内のためのガイド板や、用紙搬送時に回転駆動する搬送ローラ対５２（図２おいて、上方から５２Ａ、５２Ｂ、５２Ｃの計３つ）や、搬送される用紙を画像形成部６の手前で待機させ、形成されたトナー像の転写タイミングに合わせ用紙を送り出すレジストローラ対５３等が設けられる。
【００３６】
画像形成部６は、複数の画像形成ユニット６０（ブラック用の６０Ｂｋ、イエロー用の６０Ｙ、シアン用の６０Ｃ、マゼンタ用の６０Ｍ）と露光装置６１を含む。露光装置６１は、画像読取部３で読み取られた画像データや後述の記憶装置９２に記憶される画像データ等に基づき、レーザ光を点消灯しつつ出力し、各感光体ドラムを走査露光する。画像形成ユニット６０は、回転駆動可能に支持された感光体ドラムや、感光体ドラムの周囲に配設された帯電装置、現像装置、清掃装置等を備える。そして、各画像形成ユニット６０と露光装置６１によって、感光体ドラムの周面上にトナー像が形成される。
【００３７】
中間転写部７ａは、各画像形成ユニット６０からトナー像の１次転写を受け、シートに２次転写を行う。中間転写部７ａは、各１次転写ローラ７１Ｂｋ〜７１Ｍ、中間転写ベルト７２、駆動ローラ７３、複数の従動ローラ７４、２次転写ローラ７５、ベルト清掃装置７６等で構成される。各１次転写ローラ７１Ｂｋ〜７１Ｍは、対応する感光体ドラムと無端状の中間転写ベルト７２を挟み込む。各１次転写ローラ７１Ｂｋ〜７１Ｍには、転写用電圧が印加され、トナー像は中間転写ベルト７２に転写される。
【００３８】
中間転写ベルト７２は、駆動ローラ７３等に張架され、モータ等の駆動機構（不図示）に接続される駆動ローラ７３の回転駆動により周回する。中間転写ベルト７２は、又、駆動ローラ７３は、２次転写ローラ７５とで中間転写ベルト７２を挟み込む。各画像形成ユニット６０で形成されたトナー像（ブラック、イエロー、シアン、マゼンタの各色）は、順次、ずれなく重畳して中間転写ベルト７２に１次転写された後、所定の電圧を印加された２次転写ローラ７５により、シートに転写される。
【００３９】
定着部７ｂは、用紙に転写されたトナー像を定着させる。定着部７ｂは、主として、発熱体を内蔵する加熱ローラ７７とこれに圧接する加圧ローラ７８で構成される。そして、用紙が、加熱ローラ７７と加圧ローラ７８のニップを通過すると、トナーが溶融・加熱され、トナー像が用紙に定着する。定着部７ｂから排出された用紙は、排出トレイ８１方向に送られる。
【００４０】
排出搬送部８ａは、印刷済の用紙を、排出トレイ８１方向、両面搬送路８ｂ方向と、用紙搬送方向を仕分る。そして、排出搬送部８ａには、用紙を排出トレイ８１方向に送り出す、或いは、両面印刷のため逆回転しスイッチバックを行う排出ローラ対８２を有する。又、排出搬送部８ａは、用紙の搬送方向を切り替えるため、例えば、切替弁８３を有する。切替弁８３は回動し、用紙を排出トレイ８１に導き、或いは、両面印刷の際、片面印刷済みの用紙を両面搬送路８ｂに導く。
【００４１】
両面搬送路８ｂは、定着部７ｂの下流側と、レジストローラ対５３の上流側とを結ぶ。両面搬送路８ｂには、両面印刷のため、回転駆動する複数の両面搬送ローラ対８４（８４Ａ、８４Ｂ、８４Ｃの計３つ）が設けられ、片面印刷済の用紙が搬送される。
【００４２】
（操作パネル１）
次に、図２を用いて、本発明の実施形態に係る操作パネル１の一例を説明する。図２は本発明の実施形態に係る操作パネル１の一例を示す平面図である。
【００４３】
図１及び図２に示すように、操作パネル１は、複合機１００の正面上方に設けられ、複合機１００や後処理装置２の設定や動作指示を与えるためのメニューやキー（図４等参照）や複合機１００等の状態メッセージ等の各種画像、画面を表示する液晶表示部１１（表示部に相当）を有する。使用者は、液晶表示部１１に表示されたキーを押下して、複合機１００のコピーやデータ送信における各種設定や動作指示を行える。
【００４４】
又、液晶表示部１１の上面に透明なタッチパネル部１２（入力部に相当）が設けられ、タッチパネル部１２は、使用者が液晶表示部１１に押下した部分の位置、座標を検出するためのものである。このタッチパネル部１２を用いた検出座標と、液晶表示部１１に示される各種キーの位置、座標を比較し、使用者が押下して選択したキーが特定される。尚、タッチパネル部１２としては、抵抗膜方式、表面弾性波方式、赤外線方式、静電容量方式等、各方式のものを採用でき特に制限はない。
【００４５】
又、操作パネル１には、以下のようなハードとしてのキー（ボタン）が設けられる。例えば、数字入力用のテンキー部１３（入力部に相当）や、各種設定後、コピー等の処理開始指示用のスタートキー１４（入力部に相当）等が設けられる。又、コピー機能を利用する際に押下されるコピーキー１５（入力部に相当）、スキャナ機能、ＦＡＸ機能を利用する際に押下される送信キー１６（入力部に相当）等が設けられる。又、ワークフローの作成、登録やワークフローの呼び出しの際に押下されるワークフローキー１７（入力部に相当）も設けられる（詳細は後述）。このように、複合機１００の各機能について、各種設定、モード選択等を行うため、操作パネル１には、タッチパネル部１２や入力部としての各種ハードキーが備えられる。
【００４６】
（複合機１００等のハードウェア構成）
次に、図３を用いて、本発明の実施形態に係る複合機１００等のハードウェア構成の一例を説明する。図３は、本発明の実施形態に係る複合機１００等のハードウェア構成の一例を示すブロック図である。
【００４７】
まず、複合機１００の本体側から説明する。複合機１００本体内には、本体制御部９（判断部に相当）が設けられる。本体制御部９は、例えば、操作パネル１、原稿搬送装置４、画像読取部３、給紙部５ａ、搬送路５ｂ、画像形成部６、定着部７ｂ、排出搬送部８ａ等と接続され、これらの制御を行う。
【００４８】
本体制御部９は、例えば、ＣＰＵ９１等の素子を含む。ＣＰＵ９１は記憶装置９２（記憶部に相当）に格納され、展開される制御プログラムに基づき演算等を行い、複合機１００の各部を制御する。尚、本体制御部９は、全体制御や画像処理を行うメイン制御部や、画像形成や各種回転体を回転させるモータ等のＯＮ／ＯＦＦ等を行い、印刷を制御するエンジン制御部等、機能ごとに分割して複数種設けられてもよい。本説明では、これらの制御部をまとめた形態を示し、説明する。
【００４９】
記憶装置９２は、本体制御部９と接続される。記憶装置９２は、ＲＯＭ、ＲＡＭ、ＨＤＤ等の不揮発性と揮発性の記憶装置９２を組み合わせて構成される。記憶装置９２は、複合機１００の制御用プログラム、制御用データ、設定データ、画像データ等の各種データを記憶できる。
【００５０】
そして、本体制御部９は、各種コネクタ、ソケットやＦＡＸモデム等を備えたインターフェイス部（以下、Ｉ／Ｆ部９３）と接続される。Ｉ／Ｆ部９３はネットワークや公衆回線等により複数の外部のコンピュータ２００（例えば、パーソナルコンピュータ）や相手方ＦＡＸ装置３００（図６では、いずれも便宜上１つのみ図示）と接続される。例えば、画像読取部３で得られた画像データを記憶装置９２に記憶させることや、外部のコンピュータ２００や相手方ＦＡＸ装置３００に送信することができる（スキャナ機能、ＦＡＸ機能）。又、外部のコンピュータ２００や相手方ＦＡＸ装置３００から送信され、複合機１００に入力される画像データに基づき印刷、ＦＡＸ送信等を行うこともできる（プリンタ機能、ＦＡＸ機能）。
【００５１】
又、本体制御部９は、操作パネル１になされた入力を認識し、使用者の設定にあわせてコピー等が行われるように複合機１００を制御する。又、例えば、本体制御部９には、画像読取部３で原稿を読み取って得られた画像データやＩ／Ｆ部９３を介して複合機１００に入力された画像データに対し、各種画像処理（例えば、縮小や回転や濃度変換等）を施す画像処理部９４が設けられる。画像処理部９４が処理した画像データは、例えば、露光装置６１に送信され、感光体ドラムの走査・露光に用いられる。
【００５２】
本実施形態の操作パネル１は、表示制御部２（判断部に相当）、メモリ１０（記憶部に相当）、ドライバ回路１０２、液晶表示部１１、タッチパネル部１２を有する。表示制御部２は、ＣＰＵやＩＣ等で構成され、液晶表示部１１の表示を制御し、タッチパネル部１２の出力を受け、液晶表示部１１で押下された座標を特定する。タッチパネル部１２の出力と座標の対応を示すテーブル等のデータは、メモリ１０に記憶される。表示制御部２は、押下位置の座標と、各設定画面ＤＳの画像データを比較する等により、設定画面ＤＳ上で選択された（押下された）キーを特定、認識する。
【００５３】
具体的に、複合機１００の各機能の設定項目を選択し、設定値を設定するには、液晶表示部１１における最上層の表示から、液晶表示部１１に表示されるキーの選択を繰り返す。そして、キー選択ごとに、表示制御部２は、液晶表示部１１の表示を切り換えさせ、最終的に、選択、設定しようとする機能の設定値が設定される。この機能の選択、設定が行われたことを表示制御部２は認識し、その内容を本体の本体制御部９に送信する。これにより、操作パネル１で選択、設定された機能を反映した動作を本体制御部９が、画像形成部６等の各部に行わせ、使用者の意思が、印刷等において反映される（例えば、濃度設定や拡大縮小など）。
【００５４】
そして、液晶表示部１１が表示する画面、画像の画像データは、例えば、操作パネル１内のメモリ１０に記憶される。従って、表示制御部２は、設定項目の選択画面ＤＦや各設定画面ＤＳ中のキーが押下されるごとに、表示制御部２は、次に表示すべき画面の画像データをメモリ１０から読み出す。
【００５５】
尚、液晶表示部１１が表示する画面、画像の画像データは、例えば、本体側の記憶装置９２に記憶させてもよい。この場合、操作パネル１は、液晶表示部１１で表示を行うための画像データを、本体制御部９を介し、記憶装置９２から受信し、例えば、メモリ１０に一時的に蓄える。この画像データを受けて、表示制御部２は、液晶画面の表示を実際に制御するドライバ回路１０２に指示を与える。尚、操作パネル１には、ドライバ回路１０２や、液晶表示部１１やタッチパネル部１２だけを設け、表示制御部２、メモリ１０の機能を本体側の構成（ＣＰＵ９１や記憶装置９２）に代用させても良い。
【００５６】
（複合機１００における認証）
次に、図３及び図４を用いて、本発明の実施形態に係る複合機１００での認証の一例を説明する。図４（ａ）は、本発明の実施形態に係る操作パネル１でのログイン画面Ｄ１の一例を示す説明図であり、（ｂ）は、ソフトキーボードＤ２の一例を示す説明図である。
【００５７】
まず、本体制御部９は、基本的に、複合機１００を使用不可状態（ログアウト状態）とする。又、操作パネル１は、複写等の各種機能の設定やジョブ開始の指示を受け付けない。例えば、使用不可状態では、操作パネル１にコピーやＦＡＸ送信を行う旨の操作・入力が行われても、操作パネル１は無視し、本体制御部９は、入力を無視する。又、外部のコンピュータ２００から画像データの送信があっても、印刷を行わず、本体制御部９は、画像データの送信を受け付け記憶装置９２等に一時的に保存しても印刷は行わない。
【００５８】
一方、使用可能な者との認証が得られると、ログイン状態となり、本体制御部９は、複合機１００を使用可能な状態とする。又、操作パネル１は、ワークフロー等の各種機能の設定やジョブ開始の指示を受け付ける。本実施形態の複合機１００では、使用者は、操作パネル１に入力を行うことや、カード４００をリーダライタ９５（識別情報取得部に相当）に読み取らせて認証を受ける。尚、複合機１００に認証機能を持たせるには、操作パネル１に対する入力と、リーダライタ９５でのカード４００の読み取りのうち、何れかが可能であればよい。
【００５９】
そこで、まず、操作パネル１への入力に基づく認証を説明する。操作パネル１に対する入力で認証を受け、ログインするには、図４（ａ）に示すように、使用者は、ログイン画面Ｄ１でユーザ名（ユーザＩＤでもよい）やログイン用のパスワードを、使用者を識別するための情報（識別情報）として入力する。液晶表示部１１は、複合機１００がログアウト状態のとき、ログイン画面Ｄ１を表示する。
【００６０】
例えば、使用者がログインユーザ名キーＫ１を押下すると、表示制御部２は、図４（ｂ）に示すソフトキーボードＤ２を表示させる。又、ログインパスワードキーＫ２が押下されると、表示制御部２は、液晶表示部１１にソフトキーボードＤ２を表示させる。そして、使用者は、自己のログインユーザ名とログインパスワードを入力する。そして、表示制御部２は、入力結果をログインユーザ名表示欄Ｂ１と、ログインパスワード表示欄Ｂ２に表示させる。尚、例えば、ログインパスワード表示欄Ｂ２に表示される文字は、パスワードの文字数分の「＊」等であり、パスワード自体は表示されない。
【００６１】
使用者は、ログインユーザ名やログインパスワードの入力（識別情報の入力）が完了すると、ログインキーＫ３を押下する。ログインキーＫ３の押下を表示制御部２が認識すると、認証作業がなされる。例えば、操作パネル１で認証を行う場合、予め複合機１００の使用者全員分の認証情報（この場合では、各使用者のログインユーザ名やログインパスワードの入力のデータ）が予め操作パネル１のメモリ１０に記憶される。表示制御部２は、認証情報と、入力された識別情報を比較し、一致するか確認する。一致すれば、表示制御部２は、本体制御部９に複合機１００を使用させても良い旨のデータや使用者に関するデータを送信する。又、表示制御部２は、ロックを解除し、操作パネル１は、各種機能の設定やジョブ開始の指示があれば、受け付ける。
【００６２】
又、例えば、認証は、本体制御部９や記憶装置９２を使用して行われても良い。この場合、予め、複合機１００の使用者の認証情報は、予め記憶装置９２に記憶される。そして、ログインキーＫ３が押下されると、ログインユーザ名やログインパスワードを示すデータが表示制御部２から本体制御部９に送られる。本体制御部９は、記憶装置９２内の認証情報と、受け取った識別情報を比較し、一致するか確認する。一致すれば、本体制御部９は、複合機１００を使用可能状態として良いと認識し、表示制御部２に複合機１００を使用させても良い旨のデータや使用者を特定する情報（例えば、ユーザ名）を送信する。これにより、表示制御部２は、ロックを解除し、操作パネル１は、複写等の各種機能の設定やジョブ開始の指示があれば、受け付ける。
【００６３】
次に、図３を用いてカード４００の読み取りに基づく認証を説明する。例えば、カード４００には、ユーザ名やログイン用のパスワード等、使用者を識別するための情報（識別情報）が、予め記憶される（例えば、リーダライタ９５でカード４００に書き込み）。リーダライタ９５は、例えば、複合機１００の右側面等、任意の場所に設けられる。そして、リーダライタ９５と本体制御部９の間に認証装置９６が接続される。認証装置９６は、データの通信やデータ処理等を行うコントローラや、予め複合機１００の使用者の認証情報を記憶する認証記憶部等を有する。
【００６４】
リーダライタ９５でカード４００の記憶内容が読み取られると、読み取りデータは、リーダライタ９５から認証装置９６に入力される。認証装置９６は、読み取りデータと、認証記憶部内の認証情報（この場合、各使用者が所持するカード４００に記憶された識別情報と同じでよい）とを比較し、一致するか確認する。一致すれば、認証装置９６は、本体制御部９に複合機１００を使用させてもよい旨のデータや使用者を特定する情報（例えばユーザ名）を送信する。本体制御部９は、表示制御部２にそのデータを転送する。転送データ受信により、表示制御部２は、ロックを解除し、操作パネル１は、複写等の各種機能の設定やジョブ開始の指示があれば、受け付ける。
【００６５】
このように、本実施形態の複合機１００では、操作パネル１の表示制御部２とメモリ１０、本体制御部９と記憶装置９２、認証装置９６と言うように、複合機１００内の複数部分を認証を行う認証部として機能させることができる。
【００６６】
（ワークフローの呼出、利用）
次に、図５〜図７を用いて、本発明の実施形態に係るワークフローの概要とワークフローの呼出、利用の一例を説明する。図５は、本発明の実施形態に係るワークフローを選ぶ際の呼出画面Ｄ３の一例を示す説明図である。図６は、ワークフローをウィザード形式で表示した際の設定の流れの一例を示す説明図である。図７は、ワークフローをメニュー形式で表示した際のメニュー画面Ｄ４の一例を示す説明図である。
【００６７】
本実施形態の複合機１００では、多数にわたる設定可能な機能を有し、多様な設定項目がある。そして、液晶表示部１１は、複数の設定項目のうちから設定を行う設定項目を選び出すための選択画面ＤＦを表示し、使用者は、印刷や送信で用いる設定項目（機能）を選ぶ（押下する）。例えば、液晶表示部１１は、各設定項目をキーとして表示する。又、液晶表示部１１は、選択された設定項目の設定画面ＤＳを表示する。使用者は各設定画面ＤＳに表示されるキーや、液晶表示部１１の周辺に配されたハードキー等を押下して、多種多様な機能選択、設定を行える。尚、設定項目及び設定項目に対する設定画面ＤＳの種類はあまりに多数にわたるため、便宜上、例として後述する場合を除き図示を避け、設定できる機能（設定項目）を以下に列挙するに留める。
【００６８】
まず、コピーとして利用する場合（コピーキー１５の押下でコピーモードとなる）、複合機１００には、例えば、原稿の画質（文字、写真、文字＋写真等）、コピー濃度、用紙選択、倍率、エコプリント、とじしろ、センター移動、枠消し、両面／分割（片面→両面、両面→片面、見開き→両面等）、小冊子、表紙付け、原稿セット向き、原稿サイズ、ソート、仕分け、白黒反転、鏡像印刷、ページ付け、イメージ合成、集約（２ｉｎ１、４ｉｎ１等）、余白追加、連続読込一括印刷、試しコピー、再コピー、ステープル、パンチ等の設定項目が用意される。使用者は、液晶表示部１１に表示される各設定項目の設定画面ＤＳへの入力により、設定項目内の設定値を設定する。
【００６９】
次に、複合機１００をスキャナとして利用する場合（送信キー１６の押下で複合機１００をスキャナとして利用できる）、例えば、複合機１００には、原稿サイズ、送信サイズ、解像度、原稿セット向き、保存ファイル形式、画質（濃度、カラーモード、圧縮率、写真や文字等の原稿の画質等）、分割、枠消し、ページ毎出力、連続読み込み、ファイル名入力、センター移動、送信先選択、送信先登録、パスワード、Ｅメール送信、相手方受信確認等の設定項目が用意される。使用者は、液晶表示部１１に表示される各設定項目の設定画面ＤＳへの入力により、設定項目内の設定値を設定する。
【００７０】
次に、複合機１００をＦＡＸとして利用する場合（送信キー１６の押下で複合機１００をスキャナとして利用できる）、例えば、複合機１００には、自局情報登録（ＦＡＸ番号、ＩＤ等）、ダイレクト送信、メモリ送信、回転通信、一括送信、Ｆコード通信、用紙切れ時受信、短縮番号、原稿濃度、原稿サイズ、送信先選択、送信先登録、リダイヤル、両面送信、拡大・縮小送信、予約送信、割込送信、時刻指定通信、ポーリング通信、中継送信、受信画像データの転送、暗号通信、通信結果通知、用紙サイズ確認、集約（２ｉｎ１等）、両面受信等の設定項目が容易される。使用者は、液晶表示部１１に表示される各設定項目の設定画面ＤＳへの入力により、設定項目内の設定値を設定する。
【００７１】
ここで、例えば、用紙の消費を抑えるため、集約と両面の組み合わせなど、使用者が複合機１００を利用する上で、頻繁に組み合わせられる設定項目が存在する。ところが、上記のように、複合機１００の有する設定項目（機能）は多岐にわたり、複合機１００を利用するたびに、同様の設定を行うことは煩わしい。
【００７２】
そこで、本実施形態の複合機１００では、予め頻繁に用いる設定項目の組み合わせを予め選択、作成し、設定項目の組み合わせをワークフロー（プログラム、データの一種）として記憶させることができる（詳細は後述）。そして、使用者は、記憶されたワークフロー（予め選択した設定項目や表示順や表示形式を示すデータを含むプログラム）を呼び出すと、予め選択した設定項目を設定するための画面が液晶表示部１１に表示される。
【００７３】
例えば、使用者は、予め登録されたワークフローを呼び出す場合、ワークフローキー１７を押下する。そうすると、図５に示すように、用いる（呼び出す）ワークフローを選択するための呼出画面Ｄ３が液晶表示部１１に表示される。例えば、図５では、「きれいにコピー」、「節約コピー」、「かんたんＦＡＸ」、「かんたんメール」、「かんたんフォルダ」、「自分のフォルダへ保存」と名付けられたワークフローを示す画像が表示された例を示している。そして、各ワークフローを示す画像が押下されると、画像に対応するワークフローが記憶装置９２やメモリ１０から呼び出され、液晶表示部１１にワークフローによる設定のための画面が表示される。
【００７４】
又、呼出画面Ｄ３の下方には、新たにワークフローを作成する場合や既に登録されたワークフローの編集を行う際に押下される登録／編集キーＫ４が配される。尚、図５で示すように、１画面中に表示できるワークフローには限りがある。そこで、次キーＫ５を押下すると、次ページの呼出画面Ｄ３に切り替わる。又、前キーＫ６を押下すると、前ページの呼出画面Ｄ３に切り替えられる。
【００７５】
次に、ワークフローを呼び出した際の表示、設定を説明する。尚、ワークフローを呼び出した際、設定のための画面の表示形式としては、ウィザード表示形式、メニュー表示形式、一覧表表示形式が用意される。いずれの表示形式で表示するかは、例えば、ワークフローの登録時等に設定することができる。そこで、表示形式ごとにワークフローを呼び出した際の設定を説明する。
【００７６】
［ウィザード表示形式］
まず、図６を用いて、ワークフローでのウィザード表示形式を説明する。例えば、図６は、図５における「節約コピー」のワークフローを呼び出した際のウィザード形式でのワークフローの一例を示している。
【００７７】
図６に示すワークフローは、「用紙選択」と「集約」と「両面／分割」の設定項目が含まれるように作成、登録されている。又、ワークフローは、「用紙選択」の設定画面ＤＳ１→「集約」の設定画面ＤＳ２→「両面／分割」の設定画面ＤＳ３の順に、各設定項目の設定画面ＤＳを表示するように作成、登録されている。尚、図６での黒線矢印は、表示順を示す。従って、ワークフローの内容により、含まれる設定項目の数や設定画面ＤＳが異なることになる。
【００７８】
各設定画面ＤＳでは、前キーＫ７と次キーＫ８がそれぞれ配される。前キーＫ７が押下されると、液晶表示部１１は、１つ前の設定画面ＤＳを表示する。又、次キーＫ８が押下されると、液晶表示部１１は、１つ先の設定画面ＤＳを表示する。使用者は、各設定画面ＤＳ内に配された設定用のキーを押下することで、各設定項目での設定値を設定することができる。例えば、図６に示すように、押下された設定用のキーは、白黒反転（黒背景に白文字）状態で表示される。
【００７９】
尚、ワークフローの作成、登録時には、各設定画面ＤＳを表示する際に、選択、設定されている設定値のデフォルト値を定めておくことができる（詳細は後述）。例えば、集約では「４ｉｎ１」をデフォルト値とするように、ワークフローが作成された場合、「集約」の設定画面ＤＳ２が表示された際、図６に示すように、４ｉｎ１キーは、既に選択されている状態として液晶表示部１１に表示される。
【００８０】
そして、ワークフローとして予め登録された設定項目について全て設定が完了すると、設定一覧Ｄ５が表示される。この設定一覧Ｄ５には、ワークフローに含まれる各設定項目と、各設定項目における設定値が表示される。又、設定一覧Ｄ５では、実行開始キーＫ８と設定変更キーＫ９が表示される。実行開始キーＫ８を押下すると、本体制御部９は、設定一覧Ｄ５に示される内容を把握し、把握した内容で複合機１００を制御し、コピーが行われる。設定変更キーＫ９が押下されると、例えば、再び、「用紙選択」の設定画面ＤＳ１が表示され、使用者は、ワークフローに含まれる設定項目について再度設定を行える。
【００８１】
［メニュー表示形式］
次に、図７を用いて、ワークフローでのメニュー表示形式を説明する。例えば、図７は、図６における「節約コピー」のワークフローを呼び出した際のメニュー表示形式でのメニュー画面Ｄ４の一例を示している。
【００８２】
図７に示すように、メニュー表示形式では、「節約コピー」のワークフローを呼び出すと「用紙選択」のメニュー画像ｉ１、「集約」のメニュー画像ｉ２、そして「両面／分割」のメニュー画像ｉ３が表示される。従って、ワークフローの内容により、メニュー画面Ｄ４に表示されるメニュー画像が異なることになる。そして、それぞれのメニュー画像には、デフォルトの設定値も表示される。このように、メニュー表示形式では、ワークフローに含まれる設定項目がメニューとして表示される。
【００８３】
使用者は、設定値を変更したい設定項目のメニュー画像を押下する。これにより、液晶表示部１１の表示は、例えば、図６に示したような、設定項目ごとの設定画面ＤＳに切り替わる。そして、設定画面ＤＳでの設定が完了すると、液晶表示部１１の表示は、図７に示すメニュー画面Ｄ４に再び切り替わる。
【００８４】
又、メニュー画面Ｄ４には、ＯＫキーＫ１０とキャンセルキーＫ１１が配される。ＯＫキーＫ１０が押下されると、図６に示した設定一覧Ｄ５が液晶表示部１１に表示される。設定一覧Ｄ５の詳細は、図６を用いて説明した場合と同様でよく、説明を省略する。キャンセルキーＫ１１が押下されると、ワークフローを用いた設定がキャンセルされる。
【００８５】
［一覧表表示形式］
次に、図６を用いて、ワークフローでの一覧表表示形式を説明する。この一覧表表示形式では、図６の呼出画面Ｄ３で押下して、使用するワークフローを選択すると、いきなり、図６に示した設定一覧Ｄ５が液晶表示部１１に表示される。設定一覧Ｄ５の詳細は、図６を用いてウィザード表示形式で説明した場合と同様でよいので、説明を省略する。
【００８６】
（ワークフローの作成、登録）
次に、図８、図９を用いて、本発明の実施形態に係る複合機１００でのワークフローの作成、登録の概要を説明する。図８（ａ）、（ｂ）は、本発明の実施形態に係る設定項目の選択画面ＤＦの一例を示す説明図である。図９は、ワークフローを呼び出す際の表示形式を定めるため表示形式決定画面Ｄ６の一例を示す説明図である。
【００８７】
まず、図８（ａ）を用いて、コピー機能に関するワークフローの作成、登録を説明する。例えば、ワークフローキー１７が押下され、呼出画面Ｄ３で、登録／編集キーＫ４が押下された後（図５参照）、コピーキー１５の押下等によって、コピーに関するワークフローの作成を指示する入力が操作パネル１になされると、コピーに関するワークフローの新規登録が開始される。
【００８８】
図８（ａ）は、コピー機能に関してのワークフローに含める設定項目の選択画面ＤＦ１の一例である。この選択画面ＤＦ１は、通常のコピーの設定時における設定項目の選択画面ＤＦと同様でよい。図８（ａ）に示すように、液晶表示部１１は、選択画面ＤＦ１内に、原稿／用紙／仕上げタブＴＢ１、画質タブＴＢ２、レイアウト／編集タブＴＢ３、応用／その他タブＴＢ４といった複数のタブを表示する。尚、タブは、更に複数種設けられてもよい。
【００８９】
例えば、原稿／用紙／仕上げタブＴＢ１が押下されると、液晶表示部１１は、図８（ａ）に示すように、原稿／用紙／仕上げに関する設定項目を表示する。各設定項目（機能）は、キーとして配される。例えば、原稿／用紙／仕上げタブＴＢ１を押下すると、読み取る原稿のサイズを設定するための原稿サイズキーＫ１２や、印刷に用いる用紙を設定するための用紙選択キーＫ１３や、載置読取用コンタクトガラス３２や原稿搬送装置４への原稿のセット向きを設定するための原稿セット向きキーＫ１４や、複数部印刷する際の各ページの印刷順等を設定するためのソート／仕分けキーＫ１５等が配される。
【００９０】
又、図示はしないが、レイアウト／編集タブＴＢ３を押下すると、コピーでのページや画像のレイアウトや編集に関する設定項目（キー）が表示される（例えば、拡大縮小や集約や両面印刷等）。又、画質タブＴＢ２が押下されると、液晶表示部１１は、画質に関する設定項目（例えば、濃度設定）に対応する設定項目をキーとして表示する。又、応用／その他タブＴＢ４が押下されると、液晶表示部１１は、コピーに関する応用的な設定項目（例えば、鏡像印刷や白黒反転印刷等）をキーとして表示する。
【００９１】
次に、図８（ｂ）を用いて、送信機能（スキャナとしてのコンピュータや記憶部への画像データ送信やＦＡＸ送信）に関するワークフローの作成、登録を説明する。例えば、ワークフローキー１７が押下され、呼出画面Ｄ３で登録／編集キーＫ４が押下され（図９参照）た後、送信キー１６の押下等によって、送信に関するワークフローの作成を指示する入力が操作パネル１になされると送信に関するワークフローの新規登録が開始される。
【００９２】
図８（ｂ）は、送信機能（スキャナとしてのコンピュータや記憶部への画像データ送信やＦＡＸ送信）に関してのワークフローに含める設定項目の選択画面ＤＦ２の一例である。この選択画面ＤＦ２も、通常の送信の設定時における設定項目の選択画面ＤＦと同様でよい。例えば、図８（ｂ）に示すように、液晶表示部１１は送信用の選択画面ＤＦ２内に、宛先タブＴＢ５、原稿／送信形式タブＴＢ６、カラー／画質タブＴＢ７、応用／その他タブＴＢ８といった複数のタブを表示する。尚、タブは、更に複数種設けられてもよい。
【００９３】
例えば、送信に関しても各設定項目は、キーとして配される。例えば、図８（ｂ）に示すように、原稿／送信形式タブＴＢ６が押下されると、読み取る原稿や画像データの送信形式に関する設定項目が表示される。例えば、液晶表示部１１は、読み取る原稿のサイズを設定するための原稿サイズキーＫ１６や、送信する画像データのサイズを設定するための送信サイズキーＫ１７や、原稿搬送装置４に載置される原稿のサイズが統一されていないとき、自動判別を行うかを設定するための原稿サイズ混載キーＫ１８や、原稿が片面印刷か両面印刷か、１ページ分の画像データに含めるページ数等を設定するための片面両面選択キーＫ１９や、送信する画像データの形式（例えば、ＰＤＦやＴＩＦＦ）等を設定するためのファイル形式キーＫ２０等が配される（他の設定項目のキーにも機能が割り振られるが、説明は割愛）。
【００９４】
又、図示はしないが、宛先タブＴＢ５を押下すると、画像読取部３での読み取り等で得られた画像データの宛先に関する設定項目や設定画面ＤＳが表示される。（例えば、送信方法の区別や、アドレス帳等）。又、カラー／画質タブＴＢ７が押下されると、液晶表示部１１は、画質に関する設定項目（例えば、濃度や、フルカラーやグレーなどの送信画像データの色設定）に対応する設定項目をキーとして表示する。又、応用／その他タブＴＢ８が押下されると、液晶表示部１１は、送信に関する応用的な設定項目（例えば、枠消し等）をキーとして表示する。
【００９５】
これら選択画面ＤＦ（ＤＦ１、ＤＦ２等）で設定項目としてのキーが押下されると、図６で集約の設定項目を例として示したように、表示制御部２は選択された設定項目内のデフォルトの設定値を設定するため、各設定項目用の設定画面ＤＳを液晶表示部１１に表示させる。尚、ワークフローの作成時の各設定画面ＤＳは、通常の複合機１００の利用時と同じでもよい。
【００９６】
このような、設定項目の選択やデフォルトの設定値の設定が繰り返された後、表示制御部２は、表示制御部２はワークフローに含める設定項目の選択を終了する旨の入力が行われたかを確認する。ワークフローに含める設定項目の選択を終了する旨の入力は、複数種とできる。例えば、設定項目の選択画面ＤＦでのスタートキー１４の押下やワークフローキー１７の押下等、任意に定めることができる。
【００９７】
もし、ワークフローに含める設定項目の選択が終了する旨の入力が行われれば、表示制御部２は、図９に示すような表示形式決定画面Ｄ６を表示させる。表示形式決定画面Ｄ６は、ワークフロー呼び出し時の表示形式を定めるための画面である。例えば、使用者は、表示形式決定画面Ｄ６で、メニュー形式キーＫ２１（メニュー表示形式）、ショートカット方式キーＫ２２（一覧表示形式）、ウィザード形式キーＫ２３（ウィザード表示形式）の何れかのキーを押下する。表示制御部２は、次キーＫ２４が押下されたときに選ばれていたキーに対応する表示形式を作成中のワークフローの表示形式と把握する。
【００９８】
表示形式の選択入力がなされ、表示形式決定画面Ｄ６に表示される次キーＫ２４が押下されると、液晶表示部１１は、記憶装置９２やメモリ１０に記憶されるワークフローの名称付け等を行うための名称入力画面Ｄ７を表示する。
【００９９】
尚、テンプレートや先に登録されたワークフローを用いて新たなワークフローの作成、登録がなされてもよい。例えば、ワークフローキー１７が押下され、呼出画面Ｄ３で、登録／編集キーＫ４が押下され（図８参照）た後、テンプレートや何れかのワークフローが選択されると、テンプレートや先に登録されたワークフローを用いた、新たなワークフローの作成、登録が開始される。
【０１００】
テンプレートとは、複合機１００のメーカーが、ワークフローの目的別に、使用者に必要で、使用者が選択すると思われる設定項目について作成したワークフローである。テンプレートを用いることで、複合機１００の操作に慣れていない使用者でも容易にワークフローを作成することができる。
【０１０１】
テンプレートや先に登録されたワークフローを用いて新たなワークフローの作成、登録を行うと、新たに作成されるワークフローに含まれる設定項目は、テンプレート等に含められる設定項目と同じとなるが、例えば、デフォルトの設定値を変えることができる。尚、テンプレートや先に登録されたワークフローを用いて新たなワークフローの作成、登録を行う場合でも、新たな設定項目を追加できるようにしてもよい。
【０１０２】
（名称の入力、登録の概要）
次に、図１０を用いて、本発明の実施形態に係る複合機１００でのワークフローの名称の入力、登録の説明をする。図１０（ａ）は、本発明の実施形態に係るワークフローの名称入力画面Ｄ７の一例を示す説明図であり、（ｂ）は、登録完了画面の一例を示す説明図である。
【０１０３】
図１０（ａ）に示すように、名称入力画面Ｄ７には、番号変更キーＫ２５、名称変更キーＫ２６、登録キーＫ２７、キャンセルキーＫ２８等が配される。番号変更キーＫ２５が押下されると、表示制御部２は、液晶表示部１１にソフトキーボードＤ２を表示させる。表示させるソフトキーボードＤ２は、図４（ｂ）に示したものと同様でよい。表示制御部２は、ソフトキーボードＤ２が閉じられると、ソフトキーボードＤ２で入力された結果を番号表示欄Ｂ３に表示する。尚、番号は、使用者の入力によって定めず、自動的に付されるようにしてもよい。
【０１０４】
名称変更キーＫ２６が押下された場合も、表示制御部２は、液晶表示部１１にソフトキーボードＤ２を表示させる。表示させるソフトキーボードＤ２は、この場合も、図４（ｂ）に示したものと同様でよい。表示制御部２は、ソフトキーボードＤ２が閉じられると、ソフトキーボードＤ２で入力された結果を名称表示欄Ｂ４に表示する。
【０１０５】
表示制御部２が登録キーＫ２７の押下を認識すると、警告条件（詳細は後述）を満たす等、問題がなければワークフローが登録される。ワークフローは、記憶装置９２に記憶させてもよい。記憶装置９２に記憶する場合、例えば、表示制御部２は、ワークフローの名称、表示形式、含まれる設定項目、設定項目の表示順（ワークフロー作成時の設定項目の選択順と一致）、設定項目内のデフォルトの設定値等を含むデータをワークフローとして本体制御部９に送信し、記憶装置９２が記憶する。尚、キャンセルキーＫ２８は、ワークフローの登録（記憶）を中止する場合等に押下される。
【０１０６】
又、ワークフローは、操作パネル１のメモリ１０に記憶させてもよい。メモリ１０に記憶させる場合、例えば、表示制御部２は、ワークフローの名称、表示形式、含まれる設定項目、設定項目の表示順（ワークフロー作成時の設定項目の選択順と一致）、設定項目内のデフォルトの設定値等を含むデータをメモリ１０に記憶させる。
【０１０７】
尚、ワークフローの登録（記憶）の際、記憶させるデータとして、ワークフロー作成者（ログイン中の使用者のユーザ名）を含めておき、ワークフローは、作成した者だけが使用できるようにしてもよい。例えば、本実施形態の複合機１００は使用者を特定する認証機能を有するので、ログイン中の使用者がワークフローの呼出画面Ｄ３を開いたとき、表示制御部２は、テンプレートやログイン中の使用者が作成したワークフローのみを呼出画面Ｄ３に表示するようにしてもよい。作成したワークフローは、複合機１００の使用者全員が呼び出せてもよい。言い換えると、ワークフローは共有されてもよい。例えば、複合機１００の認証機能を用いない場合、ワークフローは共有される。
【０１０８】
ワークフローの記憶（登録）が完了すると、図１０（ｂ）に示すような登録完了ウィンドウＤ８が表示される。そして、登録完了ウィンドウＤ８内のＯＫキーＫ２９を押下すれば、登録完了ウィンドウＤ８は閉じられる。
【０１０９】
（名称の警告条件）
次に、図１１を用いて、本発明の実施形態に係るワークフローに付す名称の警告条件を説明する。図１１は、本発明の実施形態に係る警告条件の一例を示す概念図である。
【０１１０】
本実施形態の操作パネル１では、登録キーＫ２７が押下された際、ワークフローに付そうと入力された名称（以下、「入力名称」という。）に問題があるかが確認される。具体的に、入力名称が予め定められた警告条件を満たすか（備えるか）否かが判断される。例えば、この判断は、表示制御部２で行われてもよいし、本体制御部９で行われてもよい。
【０１１１】
例えば、本体制御部９に判断させる場合、警告条件を記憶装置９２に記憶させておく。そして、入力名称を示すデータが表示制御部２から本体制御部９に送信され、本体制御部９は、記憶装置９２内の既に記憶されたワークフローの名称や、警告条件を確認して、判断を行う。一方、例えば、表示制御部２に判断させる場合、警告条件をメモリ１０に記憶させておく。そして、表示制御部２は、入力名称を示すデータとメモリ１０内の既に記憶されたワークフローの名称と警告条件を確認して、判断を行う。このように、表示制御部２や本体制御部９を判断部として用いることができる。
【０１１２】
図１１に示すように、本実施形態での警告条件は、例えば、同一条件、類似条件、連続条件、不十分条件、空白条件を含む。尚、上記の条件を全て含む必要は必ずしも無く、更に他の条件を含むようにしてもよい。
【０１１３】
まず、同一条件とは、表示制御部２や本体制御部９が、入力名称と同じものがあるか、既登録ワークフローの名称を確認する条件である。〈○○○〉を入力名称とし、《○○○》を既登録ワークフローのうちの１つの名称とすると（以下の例でも同様に示す）、以下のような場合、表示制御部２や本体制御部９は、入力名称が警告条件のうちの同一条件を満たすと判断する。
例〈ＡＢＣＤＥＦ〉−《ＡＢＣＤＥＦ》、〈あいうえお〉−《あいうえお》、〈ＡＢＣ１２３〉−《ＡＢＣ１２３》
【０１１４】
次に、類似条件とは、表示制御部２や本体制御部９が、入力名称と類似する既登録ワークフローの名称があるか確認する条件である。以下のような場合、表示制御部２や本体制御部９は、入力名称が警告条件のうちの類似条件を満たすと、判断する。
例〈ＡＢＣＤＥ〉−《ＡＢＣＤＺ》、〈あいうえおＸ〉−《あいうえおＺ》、〈あいＡＢＣＤＥＦ〉−《うえＡＢＣＤＥＦ》
尚、本実施形態では、入力名称と、名称の一部が共通し、共通する文字列数が共通しない文字列数よりも多い既登録ワークフローがある場合を類似とする条件としている。尚、類似するか否かの判断基準は多様であり、例えば、１文字だけ異なる場合に類似とするなど、任意に定義すればよい。
【０１１５】
次に、連続条件とは、表示制御部２や本体制御部９が、入力名称と連続的な関係のある既登録ワークフローの名称があるか確認する条件である。表示制御部２や本体制御部９は、以下のような場合、入力名称が警告条件のうちの連続条件を満たすと、判断する。
例〈ＡＢＣ００１〉−《ＡＢＣ００２》、〈あいうえおＡ〉−《あいうえおＢ》、〈５ＡＢＣ〉−《６ＡＢＣ》
尚、本実施形態では、入力名称と、名称の一部が共通し、共通しない文字列が、数字やアルファベットにおいて、連続（連番）であれば、連続条件を満たすとの判断がなされる。尚、連続するか否かの判断基準は多様であり、任意に定義すればよい。
【０１１６】
次に、不十分条件とは、表示制御部２や本体制御部９が、入力名称が、１文字のみである場合や記号、数字のみであり、名称として不十分か否かを確認する条件である。以下のような場合、表示制御部２や本体制御部９は、入力名称が警告条件のうちの不十分条件を満たすと判断する。
例〈Ａ〉、〈あ〉、〈１２３〉、〈１２３＠＄％〉、
【０１１７】
次に、空白条件とは、表示制御部２や本体制御部９が、入力名称が、名称が付されていない或いは、空白のみであるか否かを確認する条件である。以下のような場合、表示制御部２や本体制御部９は、入力名称が警告条件のうちの空白条件を満たすと、判断する。
例〈〉、〈        〉
【０１１８】
即ち、警告条件には、既に記憶部に記憶されているデータの名称と入力名称が同一である同一条件、予め定められた規則に基づき、入力名称と既に記憶部に記憶されているデータの名称とが類似である類似条件、既に記憶部に記憶されているデータの名称と入力名称の一部が同一であるとともに差異部分が数字及び／又は文字において連続した関係である連続条件、入力名称が文字を含まず、記号及び／又は数字のみからなる不十分条件、入力名称が文字を含まず空白のみからなる空白条件、うちの何れか１つ、全部、又は、複数の条件が含まれる。
【０１１９】
これらの警告条件を満たすような入力名称のワークフローを登録すると、ワークフローを呼び出した際、内容の把握しづらさによる混同や（例えば、同一条件、類似条件、連続条件）、いかなる目的のワークフローか不明（不十分条件、空白条件など）といった問題が生じ得る。そこで、入力名称が警告条件を満たす場合の警告画面Ａを説明する。
【０１２０】
（警告画面Ａ）
次に、図１２、図１３を用いて、本発明の実施形態に係る操作パネル１での名称登録における警告画面Ａの一例を説明する。図１２は、本発明の実施形態に係る操作パネル１での名称登録における警告表示の一例を示す説明図であり、（ａ）は同一条件の場合、（ｂ）は類似条件の場合、（ｃ）は連続条件の場合を示す。図１３も、本発明の実施形態に係る操作パネル１での名称登録における警告表示の一例を示す説明図であり、（ａ）は不十分条件の場合、（ｂ）は空白条件の場合を示す。
【０１２１】
登録キーＫ２７が押下されたとき、表示制御部２や本体制御部９が、入力名称に警告条件に含まれる条件の内、１つの条件に該当すると判断した場合、表示制御部２は、液晶表示部１１に警告画面Ａを表示させる。即ち、本発明の表示入力装置（操作パネル１）は、１又は複数のデータを登録するための画面を表示する表示部（液晶表示部１１）と、表示部に表示されたキーの押下や、登録しようとするデータに名称を付す入力を受け付けるための入力部（タッチパネル部１２等）と、データに付すとして入力された入力名称とデータを対応付けて記憶する記憶部（記憶装置９２やメモリ１０）と、データを記憶部に記憶する前に、入力名称が、予め定められた警告条件を満たすか否かを判断する判断部（表示制御部２や本体制御部９）と、を有し、判断部が、入力名称は予め定められた警告条件を満たすと判断した場合、表示部は、入力名称が予め定められた警告条件を満たすことを知らせるための警告画面Ａを表示する。
【０１２２】
そして、警告画面Ａは、図１２、図１３に示すように、条件ごとに異なり、各警告画面Ａで、警告種類表示欄に、警告の種類（条件）が表示される。図１２（ａ）は、既登録ワークフローの名称のなかに、入力名称と同一の名称があった場合（同一条件を満たす場合）に液晶表示部１１に表示される警告画面Ａ１の一例である。図１２（ｂ）は、既登録ワークフローの名称のなかに、入力名称と類似の名称があると表示制御部２等が判断した場合（類似条件を満たす場合）に、液晶表示部１１に表示される警告画面Ａ２の一例である。図１２（ｃ）は、既登録ワークフローの名称のなかに、入力名称と連続下関係となる名称があると表示制御部２等が判断した場合（連続条件を満たす場合）に、液晶表示部１１に表示される警告画面Ａ３の一例である。図１３（ａ）は、入力名称は不十分であると表示制御部２等が判断した場合（類似条件を満たす場合）に、液晶表示部１１に表示される警告画面Ａ４の一例である。図１３（ｂ）は、入力名称は空白、若しくは、名称がないと表示制御部２等が判断した場合（類似条件を満たす場合）に、液晶表示部１１に表示される警告画面Ａ５の一例である。
【０１２３】
各警告画面Ａには、修正キーＫ３０が配される。表示制御部２は、修正キーＫ３０が押下されたことを認識すると、ソフトキーボードＤ２（図４（ｂ）参照）を液晶表示部１１に表示させる。使用者は、表示されたソフトキーボードＤ２に入力することで、入力名称を修正する。修正が完了すれば、例えば、図１０（ａ）に示す名称入力画面Ｄ７に戻る。又、各種警告画面Ａには、登録キーＫ３１が配される画面もある。表示制御部２が登録キーＫ３１の押下を認識すると、警告条件を満たしていても、入力名称がワークフローの名称として登録（記憶される）。
【０１２４】
尚、図１３（ｂ）に示すように、例えば、空白条件を満たす入力名称の場合、ワークフローの名称として明らかに不適切であり、そのまま登録を認めると、他の条件を満たす場合よりもワークフローの内容の把握や、目的とするワークフローの呼出が著しく困難となる。そこで、空白条件を満たす入力名称の警告画面Ａ５では、登録キーＫ３１を表示せず修正キーＫ３０のみを表示し、必ず、修正がなされるようにしてもよい。
【０１２５】
又、各警告画面Ａには、修正キーＫ３０と登録キーＫ３１が押下されたときの効果、作用が説明的に記されている。例えば、図１３（ａ）に示すように、不十分条件を満たす入力名称である場合は、ワークフローの内容を示す入力名称とは考え難いので、表示制御部２は、不十分条件を満たす場合は、必ず、液晶表示部１１に警告画面Ａ４を表示させるようにしてもよい。
【０１２６】
一方、例えば、図１２（ａ）〜（ｃ）に示すように、同一条件、類似条件、連続条件を満たす入力名称であれば、ある程度のワークフローの内容を示すか、使用者の意図を反映させた名称である可能性が高いので、警告条件を満たしていても登録が認められる。そして、図１２（ａ）〜（ｃ）で登録キーＫ３１の作用、効果に記載されるように、同一条件、類似条件、連続条件については、これらの条件を満たす名称が一旦登録されると、以後警告画面Ａが表示されなくなる。
【０１２７】
具体的には、記憶装置９２やメモリ１０に、同一条件、類似条件、連続条件を満たしていても、登録が行われた旨のデータである警告名称許可データが記憶される。警告名称許可データは、記憶装置９２に記憶されてもよいし、メモリ１０に記憶されてもよい。又、警告名称許可データは、同一条件、類似条件、連続条件のそれぞれの条件ごとに個別に記憶されてもよい。
【０１２８】
例えば、同一条件を満たし表示された警告画面Ａ１で、登録キーＫ３１が押下され、そのままの名称でワークフロー（データ）が記憶されれば、同一条件を満たしつつも名称が付けられた旨の警告名称許可データが、記憶装置９２やメモリ１０に記憶される。又、例えば、類似条件を満たし表示された警告画面Ａ２で、登録キーＫ３１が押下され、その名称でデータが記憶されれば、類似条件を満たしつつも名称が付けられた旨の警告名称許可データが、記憶装置９２やメモリ１０に記憶される。又、例えば、連続条件を満たし表示された警告画面Ａ３で、登録キーＫ３１が押下され、その名称でデータが記憶されれば、連続条件を満たしつつも名称が付けられた旨の警告名称許可データが、記憶装置９２やメモリ１０に記憶される。
【０１２９】
その結果、同一条件、類似条件、連続条件については、各警告画面Ａを表示しても修正されることなく登録されれば、原則、以後、同じ条件の警告画面Ａは表示されなくなる。例えば、同一条件を満たす名称は登録したくないが、類似条件を満たす名称は登録してもよいと考える場合、使用者は、類似条件の警告画面Ａ２が表示された際修正せずに登録キーＫ３１を押下すればよい。これにより、以後、類似条件を満たす名称を付す場合でも警告画面Ａ２が表示されなくなる。
【０１３０】
即ち、表示部（液晶表示部１１）に警告画面Ａが表示された場合、入力部（タッチパネル部１２等）は、入力名称を修正する入力、又は、入力名称をそのまま記憶部（記憶装置９２やメモリ１０）に記憶させる旨の入力を受け付け、記憶部は、警告条件を満たす名称をそのまま記憶部に記憶させた旨を示す警告名称許可データを記憶し、表示部は、入力名称が警告条件を満たしても、警告名称許可データが記憶されていれば、警告画面Ａを表示しない。又、警告条件に複数の条件が含まれる場合、記憶部は、複数の条件のうち、全て又は一部の条件について、警告名称許可データを個別に記憶し、表示部は、入力名称が警告条件を満たし、かつ、その警告条件が記憶された警告名称許可データに対応する条件であった場合、警告画面Ａを表示しない。
【０１３１】
又、本実施形態の複合機１００は、認証により使用者を特定できる。従って、記憶装置９２やメモリ１０は、同一条件の警告名称許可データと、類似条件の警告名称許可データと、連続条件の警告名称許可データを使用者ごとに記憶できる。これにより、複合機１００が共有されても、使用者それぞれの意向にあわせた名称付けの画面表示がなされる。尚、複合機１００で認証機能を使用せず、使用者を特定しないで複合機１００が利用される場合、同一条件の警告名称許可データと、類似条件の警告名称許可データと、連続条件の警告名称許可データは、使用者全員に関するものとなる。
【０１３２】
即ち、判断部（表示制御部２や本体制御部９）は、入力部（タッチパネル部１２等）に対する使用者を識別するための識別情報の入力、又は、識別情報を記憶する記憶媒体を読み取る識別情報取得部（リーダライタ９５）によって取得された識別情報に基づき、使用者を特定し、記憶部（記憶装置９２やメモリ１０）は、警告名称許可データを使用者ごとに記憶し、表示部（液晶表示部１１）は、警告名称許可データが記憶部に記憶されている使用者に対しては、警告画面Ａを表示せず、警告名称許可データが記憶部に記憶されていない使用者に対しては、警告画面Ａを表示する。更には、警告条件に複数の条件が含まれる場合、記憶部は、使用者ごとに、警告名称許可データを、複数の条件のうち、全て又は一部の条件について、警告名称許可データを個別に記憶し、表示部は、入力名称が警告条件を満たし、かつ、その警告条件が記憶された警告名称許可データに対応する条件であった場合、警告画面Ａを表示しない。
【０１３３】
（警告画面Ａの非表示の場合の名称入力画面Ｄ７）
次に、図１４を用いて、本発明の実施形態に係る操作パネル１での警告画面Ａの非表示の場合の名称入力画面Ｄ７の一例を説明する。図１４は、警告名称許可データが記憶されている場合の名称入力画面Ｄ７の一例を示す説明図である。
【０１３４】
上述したように、警告名称許可データが記憶装置９２やメモリ１０に記憶される。そして、図１４は、同一条件、類似条件、連続条件のいずれについても警告名称許可データが記憶されている場合の名称入力画面Ｄ７の一例である。
【０１３５】
そして、図１４に示すように、警告名称許可データが記憶されている条件については、名称入力画面Ｄ７内に、不許可キーＫ４０が表示される（図１４の場合では、「同一の名称の不許可」、「類似の名称の不許可」、「連続の名称の不許可」と記された３つのキー）。同一や類似の名称のワークフローが増えすぎて、ワークフローの内容が分かりづらくなってくると、やはり、警告画面Ａを表示させたいと思う場合もある。
【０１３６】
そこで、使用者は、不許可キーＫ４０を押下する。そうすると、以後、押下された不許可キーＫ４０に対応する条件の警告画面Ａが表示されるようになる。具体的には、表示制御部２が不許可キーＫ４０が押下されたと認識すると、表示制御部２は、記憶装置９２やメモリ１０など、警告名称許可データの記憶先に指示して、押下された不許可キーＫ４０に対応する条件の警告名称許可データを消去させる。これにより、警告名称許可データが無くなるので、以後、警告画面Ａが表示される。言い換えると、表示制御部２は、警告名称許可データのない条件の警告画面Ａを液晶表示部１１に表示させる。
【０１３７】
即ち、入力名称が警告条件を満たしても警告画面Ａを表示しない場合、表示部（液晶表示部１１）は、記憶されている警告名称許可データに対応する条件ごとに、警告条件を満たす名称を付してデータを記憶部（記憶装置９２やメモリ１０）に記憶させることを認めない入力を行うための不許可キーＫ４０を表示し、記憶部（記憶装置９２やメモリ１０）は、押下された不許可キーＫ４０に対応する条件の警告名称許可データを消去する。
【０１３８】
又、図１４に示すように、名称入力画面Ｄ７内に、警告名称許可データが記憶されている条件に対応する名称一覧画面表示キーＫ４１が表示される（図１４の場合では、「同一の名称」、「類似の名称」、「連続の名称」と記された３つのキー）。名称一覧画面表示キーＫ４１は、名称の入力補助のために設けられる。この名称の入力補助機能を図１５〜図１７を用いて説明する。
【０１３９】
（名称の入力補助機能）
次に、図１５〜図１７を用いて、本発明の実施形態に係る操作パネル１での名称の入力補助機能の一例を説明する。図１５（ａ）は、同一条件の警告画面Ａ１の非表示の際の名称入力画面Ｄ７の一例を示す説明図であり、（ｂ）は、同一条件の名称一覧画面Ｅ１の一例を示す説明図である。図１６（ａ）は、類似条件の警告画面Ａ２の非表示の際の名称入力画面Ｄ７の一例を示す説明図であり、（ｂ）は、類似条件の名称一覧画面Ｅ２の一例を示す説明図である。図１７（ａ）は、連続条件の警告画面Ａの非表示の際の名称入力画面Ｄ７の一例を示す説明図であり、（ｂ）は、連続条件の名称一覧画面Ｅ３の一例を示す説明図である。
【０１４０】
まず、図１５（ａ）、（ｂ）を用いて、同一条件に関する入力補助機能を説明する。図１５（ａ）は、同一条件の警告名称許可データが記憶されている場合の名称入力画面Ｄ７の一例である。ここで、表示制御部２は、「同一の名称」と記された名称一覧画面表示キーＫ４１が押下されたことを認識すると、同一条件用の名称一覧画面Ｅ１を液晶表示部１１に表示させる。
【０１４１】
表示制御部２は、液晶表示部１１に、同一条件用の名称一覧画面Ｅ１として、既に記憶装置９２やメモリ１０に登録されているワークフローの名称を列挙して表示させる。尚、登録済みワークフローが多く、１画面中に名称を列挙しきれない場合のため、スクロールバーＢ５が設けられる。使用者によってスクロールバーＢ５が操作されると、表示制御部２は、名称一覧画面Ｅ１の表示を変化させる。これにより、登録済みワークフローの名称を全て表示できる。
【０１４２】
そして、名称一覧画面Ｅ１に表示された各名称にはラジオボタンＲが付される。そして、表示制御部２は、名称一覧画面Ｅ１に表示された名称の押下を認識すると、押下された名称のラジオボタンＲにチェックを入れた状態とする（図１５では、ラジオボタンＲを塗り潰し状態としている）。
【０１４３】
そして、名称一覧画面Ｅ１では、設定キーＫ５１とキャンセルキーＫ５２が画面下方に設けられる。表示制御部２は、設定キーＫ５１が押下されたことを認識すると、名称入力画面Ｄ７に表示を切り替えさせ、名称一覧画面Ｅ１で選択された名称を名称表示欄Ｂ４に表示させる。これにより、使用者は、名称一覧画面Ｅ１で選択するだけで名称の入力を行え、簡易、迅速に名称を入力することができる。
【０１４４】
次に、図１６（ａ）、（ｂ）を用いて、類似条件に関する入力補助機能を説明する。図１６（ａ）は、類似条件の警告名称許可データが記憶されている場合の名称入力画面Ｄ７の一例である。ここで、表示制御部２は、「類似の名称」と記された名称一覧画面表示キーＫ４１が押下されたことを認識すると、類似条件用の名称一覧画面Ｅ２を液晶表示部１１に表示させる。
【０１４５】
表示制御部２は、液晶表示部１１に、同一条件用の名称一覧画面Ｅ１と同様の名称一覧画面Ｅ２を表示させる。又、表示された各名称にはラジオボタンＲが付され、押下された名称のラジオボタンＲがチェック状態となる点も名称一覧画面Ｅ１と同様でよい。
【０１４６】
そして、名称一覧画面Ｅ２でも、設定キーＫ５１とキャンセルキーＫ５２が画面下方に設けられる。表示制御部２は、設定キーＫ５１が押下されたことを認識すると、図４（ｂ）に示すような、ソフトキーボードＤ２を液晶表示部１１に表示させる。このソフトキーボードＤ２の表示の際、表示制御部２は、名称一覧画面Ｅ２で選択された名称がソフトキーボードＤ２に既に入力された状態で表示させる。使用者は、ソフトキーボードＤ２で、名称の一部を変更する。ソフトキーボードＤ２での入力が完了すると、表示制御部２は名称入力画面Ｄ７に表示を切り替えさせ、ソフトキーボードＤ２で入力された名称を名称表示欄Ｂ４に表示させる。
【０１４７】
次に、図１７（ａ）、（ｂ）を用いて、連続条件に関する入力補助機能を説明する。図１６（ａ）は、連続条件の警告名称許可データが記憶されている場合の名称入力画面Ｄ７の一例である。ここで、表示制御部２は、「連続の名称」と記された名称一覧画面表示キーＫ４１が押下されたことを認識すると、連続条件用の名称一覧画面Ｅ３を液晶表示部１１に表示させる。
【０１４８】
この連続条件用の名称一覧画面Ｅ３では、すでに登録されたワークフローの名称のうち、例えば、語頭や語尾に数字やアルファベットを含む名称が選び出されて表示される。言い換えると、名称一覧画面Ｅ１や名称一覧画面Ｅ２のように、登録されたワークフローの名称の全てが表示されるとは限らない。
【０１４９】
そして、連続条件用の名称一覧画面Ｅ３では、表示制御部２は、名称の基幹となる登録済みの名称の一部の語句と、名称の基幹に付された数字やアルファベットを表示させる（「登録済み」の文字の側方に表示）。又、表示制御部２は、設定キーＫ５１を押した際に設定される（名称入力画面Ｄ７の名称表示欄Ｂ４に表示される）名称も表示させる（「設定される名称」の文字の側方の名称候補表示欄Ｂ６に表示）。
【０１５０】
又、各名称の基幹部分の左側方にはラジオボタンＲが付され、押下された名称のラジオボタンＲはチェックが入れられた状態となる点は名称一覧画面Ｅ１と同様でよい。そして、名称一覧画面Ｅ３でも、設定キーＫ５１とキャンセルキーＫ５２が画面下方に設けられる。表示制御部２は、設定キーＫ５１が押下されたことを認識すると、名称入力画面Ｄ７に表示を切り替えさせ、名称候補表示欄Ｂ６に表示された候補名称を名称表示欄Ｂ４に表示させる。これにより、使用者は、名称一覧画面Ｅ３で選択するだけで名称の入力を行え、簡易、迅速に名称を入力することができる。
【０１５１】
即ち、入力名称が警告条件を満たしても警告画面Ａを表示しない場合、表示部（液晶表示部１１）は、すでに記憶部（記憶装置９２やメモリ１０）に記憶されたデータの名称の一覧が記された名称一覧画面Ｅを表示させるための名称一覧画面表示キーＫ４１を表示し、名称一覧画面表示キーＫ４１が押下されると名称一覧画面Ｅを表示し、入力部（タッチパネル部１２等）は、表示された名称一覧画面Ｅ内の名称から１つの名称を選択する入力をデータに付す名称を設定する入力として受け付け、記憶部は、名称一覧画面Ｅで選択された名称を、データに付す名称としてデータに対応付けて記憶する。
【０１５２】
尚、各名称一覧画面Ｅには、ログイン中の使用者が登録したワークフローに関してのみを表示すればよい。尚、複合機１００で認証機能を使用せず、使用者を特定しないで複合機１００が利用される場合など、ワークフローが共有される場合（複合機１００で認証機能を使用しない場合）、全使用者の作成、登録したワークフローを対象として、各名称一覧画面Ｅが表示されることになる。
【０１５３】
（名称入力での表示制御）
次に、図１８を用いて、本発明の実施形態に係る操作パネル１での名称入力時の表示制御の一例を説明する。図１８は、本発明の実施形態に係る操作パネル１での名称入力時の表示制御の一例を示すフローチャートである。
【０１５４】
まず、図１８のスタートは、ワークフローの作成の際、ワークフローの名称付けを行う段階に到った時点である。そして、表示制御部２は、液晶表示部１１に名称入力画面Ｄ７を表示させる（ステップ♯１）。又、表示制御部２は、液晶表示部１１に警告名称許可データのある条件について、不許可キーＫ４０と名称一覧画面表示キーＫ４１を表示させる（ステップ♯２）。尚、警告名称許可データが全く無ければ、不許可キーＫ４０と名称一覧画面表示キーＫ４１は表示されない。
【０１５５】
そして、表示制御部２は、不許可キーＫ４０が押下されたかを確認する（ステップ♯３）。もし、不許可キーＫ４０が押下されていなければ（ステップ♯３のＮｏ）、使用者による名称の入力を受け付ける（ステップ♯５）。一方、不許可キーＫ４０が押下されれば、記憶装置９２やメモリ１０は、不許可キーＫ４０に対応する条件（同一条件、類似条件、連続条件）の警告名称許可データを消去する（ステップ♯４）。その後、ステップ♯５に移行する。
【０１５６】
ステップ♯５での使用者の名称の入力では、ソフトキーボードＤ２や上述した名称の入力補助機能（図１４〜図１７参照）が用いられ、そして、表示制御部２は、入力名称で登録する（記憶する）旨の入力がなされたかを確認する（ステップ♯６）。具体的には、名称入力画面Ｄ７で登録キーＫ２７が押下されたかを確認する（例えば、スタートキー１４の押下を入力名称で登録する旨の入力と認識する等、登録キーＫ２７の押下以外の操作でもよい）。
【０１５７】
もし、入力名称で登録する（記憶する）旨の入力がなされなければ（ステップ♯６のＮｏ）、例えば、ステップ♯１に戻る。一方、入力名称で登録する（記憶する）旨の入力がなされれば（ステップ♯６のＹｅｓ）、表示制御部２は、入力名称が警告条件を満たすかを確認する（ステップ♯７）。もし、警告条件を満たさなければ（ステップ♯７のＮｏ）、記憶装置９２やメモリ１０は、入力名称と対応付けてワークフローを記憶し（ステップ♯８）、本制御は終了される（エンド）。
【０１５８】
一方、警告条件を満たす場合（ステップ♯７のＹｅｓ）、表示制御部２は、空白条件かを確認する（ステップ♯９）。もし、空白条件であれば（ステップ♯９のＹｅｓ）、表示制御部２は、警告画面Ａ５を表示させ（ステップ♯１０）、使用者による修正を行わせるため、例えば、ソフトキーボードＤ２を表示させる（ステップ♯１１）。そして、ソフトキーボードＤ２での入力完了後、例えば、ステップ♯１に戻る。一方、空白条件で無ければ（ステップ♯９のＮｏ）、表示制御部２は、不十分条件を満たすかを確認する（ステップ♯１２）。
【０１５９】
もし、不十分条件を満たす場合（ステップ♯１２のＹｅｓ）、表示制御部２は、警告画面Ａを表示させ（ステップ♯１３）、そのまま登録を行うかを確認する（ステップ♯１４）。具体的には、警告画面Ａ４で登録キーＫ３１が押下されたかを確認する。そのまま登録を行う場合（ステップ♯１４のＹｅｓ）、例えば、ステップ♯８に移行すればよい。一方、そのまま登録を行わない場合は（ステップ♯１４のＮｏ）、ステップ♯１１に移行すればよい。
【０１６０】
一方、不十分条件を満たさない場合（ステップ♯１１のＮｏ）、警告条件は、警告条件が同一条件、類似条件、連続条件の何れかとなる。そこで、表示制御部２は、警告名称許可データを確認する（ステップ♯１５）。そして、表示制御部２は、警告名称許可データの条件と、ワークフローに付そうとする名称における警告条件の種類とが一致せず、警告画面Ａを表示する必要があるかを確認する（ステップ♯１６）。
【０１６１】
もし、警告画面Ａの表示が不要であれば（ステップ♯１６のＮｏ）、そのままの入力名称で登録を行えばよいので、ステップ♯８に移行すればよい。一方、警告画面Ａの表示が必要であれば（ステップ♯１６のＹｅｓ）、表示制御部２は、警告画面Ａ１、警告画面Ａ２、警告画面Ａ３の何れかを表示させ（ステップ♯１７）、そのまま登録を行うかを確認する（ステップ♯１８）。具体的には、各警告画面Ａで登録キーＫ３１が押下されたかを確認する。そのまま登録を行う場合（ステップ♯１８のＹｅｓ）、例えば、記憶装置９２やメモリ１０は、登録を行う条件の警告名称許可データを記憶する（ステップ♯１９）。その後、ステップ♯８に移行すればよい。一方、そのまま登録を行わない場合は（ステップ♯１８のＮｏ）、ステップ♯１１に移行すればよい。
【０１６２】
このようにして、本発明によれば、入力名称が予め定められた警告条件を満たすことを知らせる警告画面Ａが表示される。これにより、使用者は、記憶部（記憶装置９２やメモリ１０）に記憶させようとするデータに付した名称に問題のある可能性を認識することができる。又、警告条件は、同一条件、類似条件、連続条件、不十分条件、空白条件のそれぞれの条件の何れか１つ、全部、又は、複数を含む。これにより、使用者は、警告条件を満たした名称を付してデータを記憶させる（登録する）と、探し出し難くなることや、データの内容を把握し辛くなると警告されたと把握できる。従って、問題となり得る名称付けが避けられる。
【０１６３】
又、入力名称を修正する入力と、入力名称をそのまま記憶部（記憶装置９２やメモリ１０）に記憶させる旨の入力が選択的に受け付けられる。これにより、使用者の意向を反映させた名称付けを行うことができる。又、警告名称許可データが記憶されていれば、警告画面Ａは表示されない。警告条件を満たすような問題のある名称でもデータに付すことを認める使用者にとっては、警告画面Ａは不要で煩わしいと感じてしまう場合がある。そこで、過去に警告条件を満たす名称をそのまま記憶部に記憶させたことは警告名称許可データという履歴として残す。そして、警告条件を満たす名称をデータに付してもよい使用者に対しては警告画面Ａを表示しない。従って、煩わしい感覚を使用者に与えることを防ぐことができる。又、例えば、同一の名称での登録（記憶）は避けたいが、類似の名称での登録（記憶）はかまわない等、条件によって登録を認めたい場合と認めたくない場合がある。そこで、この構成によれば、警告名称許可データは、各条件について、個別に記憶され、入力名称に含まれる警告条件が記憶された警告名称許可データに対応する条件であった場合、警告画面Ａは表示されない。これにより、使用者にとって登録したくない条件の場合のみ、警告画面Ａを表示するようにすることができる。従って、使用者の意向にあわせて、警告画面Ａの表示、非表示を行うことができ、利便性が高い。
【０１６４】
又、不許可キーＫ４０の押下を入力部（タッチパネル部１２等）が受け付けた場合、警告名称許可データは消去される。これにより、一旦、警告名称許可データが記憶された後で、使用者は、警告画面Ａの表示を再開できる又、不許可キーＫ４０に対応する警告名称許可データは消去されるので、警告条件に含まれる複数の条件について、登録を認めていた場合でも、使用者は、一部の条件についてのみ、再び警告画面Ａを表示されるようにできる。従って、使用者は、細かく警告画面Ａの表示、非表示を設定でき、設定の自由度が高い。又、名称一覧画面Ｅが表示される。これにより、どのような名称があるか等、名称付けの状態や傾向等を把握できる。従って、警告条件を満たすような名称付けを行う際、このままの名称でデータを記憶させてよいかの判断が容易になる。又、名称一覧画面Ｅ内の名称から選択された１つの名称が、データに付す名称としてデータに対応付けて記憶される。これにより、同一、類似等の警告条件を満たすような名称をデータに付すとき、名称付けのための入力は名称の選択だけで完了する。従って、警告条件を満たすような名称を付す際、名称付けの補助機能が働き、名称を簡単、迅速に定めることができる。
【０１６５】
又、表示入力装置（操作パネル１）や表示入力装置を備えた装置は特定のメンバーで共用される場合がある。そこで、使用者は特定され、警告名称許可データは使用者ごとに記憶される。使用者ごとに警告条件を満たす名称について警告画面Ａの表示、非表示が判断され使用者ごとに警告画面Ａの表示、非表示が定まる。従って、各使用者の意向にあわせた名称付けを行うことができる。又、使用者ごとに、警告名称許可データは、複数の条件のうち、全て又は一部の条件について、個別に記憶される。これにより、表示入力装置が共用されても、各使用者で場合を分けて、各使用者の意向にあわせて、警告画面Ａの表示、非表示を行うことができる。従って、利便性が高い。又、データを探し出しにくくなるような問題のある名称でのデータの記憶（登録）を容易に避けることができる画像形成装置を提供することができる。
【０１６６】
以下、他の実施形態について説明する。上記の実施形態では、ワークフローに付す名称を例に挙げて説明したが、他の種類の名称を付ける際にも本発明は適用されてもよい。例えば、画像読取部３で読み取って得られた画像データを記憶装置９２に記憶する際に、画像データに対する名称付けに応用することができる。或いは、使用者がコピーや送信を行う設定を行った状態を記憶させておくキーであり、そのキーを押下するだけで記憶させた設定の状態するための設定記憶用キー（ワンタッチキーやプログラムキーと呼ばれることがある）に名称を付す場合にも応用することができる。
【０１６７】
本発明の実施形態を説明したが、本発明の範囲はこれに限定されるものではなく、発明の主旨を逸脱しない範囲で種々の変更を加えて実施することができる。
【産業上の利用可能性】
【０１６８】
本発明は、操作パネル１等の表示部と入力部を有する表示入力装置や、画像形成装置に利用可能である。
【符号の説明】
【０１６９】
１      操作パネル（表示入力装置）        １０    メモリ（記憶部）
１１    液晶表示部（表示部）              １２    タッチパネル部（入力部）
２      表示制御部（判断部）              ９      本体制御部（判断部）
９２    記憶装置（記憶部）                ９５    リーダライタ（識別情報取得部）
Ａ（Ａ１、Ａ２、Ａ３、Ａ４、Ａ５）      警告画面
Ｅ（Ｅ１、Ｅ２、Ｅ３）                  名称一覧画面
Ｋ４０  不許可キー                        Ｋ４１  名称一覧画面表示キー
【図１】
2011164154.tif 000003
【図２】
2011164154.tif 000004
【図３】
2011164154.tif 000005
【図４】
2011164154.tif 000006
【図５】
2011164154.tif 000007
【図６】
2011164154.tif 000008
【図７】
2011164154.tif 000009
【図８】
2011164154.tif 000010
【図９】
2011164154.tif 000011
【図１０】
2011164154.tif 000012
【図１１】
2011164154.tif 000013
【図１２】
2011164154.tif 000014
【図１３】
2011164154.tif 000015
【図１４】
2011164154.tif 000016
【図１５】
2011164154.tif 000017
【図１６】
2011164154.tif 000018
【図１７】
2011164154.tif 000019
【図１８】
2011164154.tif 000020